(57)【要約】      （修正有）【課題】内容物が封筒内で移動した際に内容物の側部も保護することができる封筒を提供する。ダンボールの山方向に対する折り曲げ強度、およびその山方向と直交する方向に対する折り曲げ強度も高めることができる封筒を提供する。【解決手段】紙製シートからなる封筒本体２と、封筒本体２内に配設されたダンボール紙からなる緩衝材４と、を有する封筒である。緩衝材４は、凹凸部が対向するように、矩形状のダンボール紙を折り曲げて形成された折り曲げ体６と、折り曲げ体６の一方の折り曲げ片Ａの両側部を内側へ折り曲げてそれぞれ形成された側片８と、を有し、両側片８．８の間に他方の折り曲げ片Ｂが配設される。【選択図】図３
0003159073.tif 000002
【実用新案登録請求の範囲】
【請求項１】
紙製シートからなる封筒本体と、該封筒本体内に配設されたダンボール紙からなる緩衝材と、を有する封筒であって、
該緩衝材は、凹凸部が対向するように、矩形状のダンボール紙を折り曲げて形成された折り曲げ体と、該折り曲げ体の一方の折り曲げ片の両側部を内側へ折り曲げてそれぞれ形成された側片と、を有し、両側片の間に他方の折り曲げ片が配設される封筒。
【請求項２】
前記一方の折り曲げ片に形成された凹凸部の山部の長手方向と、前記他方の折り曲げ片に形成された凹凸部の山部の長手方向とが交差している請求項１に記載の封筒。
【請求項３】
前記一方の折り曲げ片と他方の折り曲げ片の折り曲げ線近傍における角部に切欠部が斜めの切り欠きによって形成されている請求項１に記載の封筒。
【請求項４】
前記一方の折り曲げ片が他方の折り曲げ片の長さより長く形成され、該折り曲げ片の開口側の端部にフラップが延設されている請求項１に記載の封筒。
【請求項５】
前記封筒本体のフラップに、開封用のミシン目が形成されている請求項１に記載の封筒。
【請求項６】
前記封筒本体の外面に防水機能を有する保護層が形成されている請求項１に記載の封筒。
【請求項７】
前記一方の折り曲げ片と他方の折り曲げ片の両端部が両面テープによって接合されている請求項１に記載の封筒。
【考案の詳細な説明】
【技術分野】
【０００１】
本考案は、ダンボール紙を用いたクッション性に優れる封筒に関する。
【背景技術】
【０００２】
従来から、紙製シートからなる封筒本体の内部に、ダンボール紙を折り畳んで作成した緩衝材を配置することにより、クッション性を持たせた封筒が知られている。しかし、従来の封筒では、光学ディスクや磁気カードなどの内容物が移動することがあり、そのため内容物の端部に傷が付いたり、破損するおそれがある。
【０００３】
この欠点を防止するために、例えば、特許第4104326号（特許文献１）には、紙製シートからなる封筒本体内に、合成樹脂製シートからなるバブルシートを配設し、このバブルシートの周囲を熱融着したり、接着剤を用いて接着した封筒が記載している。しかし、このような方法を、ダンボール紙を用いた封筒に適用することはできない。また、このように合成樹脂製シートを用いた場合には、再資源の利用のため、紙製の封筒本体から合成樹脂製シートを分別する必要があり、分別のための手間を要する。
【０００４】
実開昭６３−９４１３５号公報（特許文献２）には、片面ダンボール紙を折り曲げて紙製緩衝材を作成し、この紙製緩衝材を封筒状の表袋内に入れ、紙製緩衝材の内側に封筒状の内袋を入れ、内袋の糊しろと表袋の糊しろを接合して紙製緩衝材入り封筒を製造することが記載されている。しかし、このようにして作成された封筒では、側部が緩衝材で覆われていないために、内容物が封筒内で移動した際に、内容物の側部が損傷するおそれがある。
【０００５】
さらに、上記構成の封筒は、いずれも、ダンボール紙の山方向に対する折り曲げ強度は強いが、その山方向と直交する方向に対する折り曲げ強度は低いという欠点がある。
【先行技術文献】
【特許文献】
【０００６】
【特許文献１】特許第4104326号
【特許文献２】実開昭６３−９４１３５号公報
【考案の概要】
【考案が解決しようとする課題】
【０００７】
本考案は上記課題を解決するためになされたもので、内容物が封筒内で移動した際に内容物の側部も保護することができる封筒を提供することを目的とする。
【０００８】
本考案の他の目的は、ダンボールの山方向に対する折り曲げ強度だけでなく、その山方向と直交する方向に対する折り曲げ強度も高めることができる封筒を提供することを目的とする。
【課題を解決するための手段】
【０００９】
本考案の封筒は、以下を特徴とする。
【００１０】
（項目１）紙製シートからなる封筒本体と、該封筒本体内に配設されたダンボール紙からなる緩衝材と、を有する封筒であって、
該緩衝材は、凹凸部が対向するように、矩形状のダンボール紙を折り曲げて形成された折り曲げ体と、該折り曲げ体の一方の折り曲げ片の両側部を内側へ折り曲げてそれぞれ形成された側片と、を有し、両側片の間に他方の折り曲げ片が配設される封筒。
【００１１】
（項目２）前記一方の折り曲げ片に形成された凹凸部の山部の長手方向と、前記他方の折り曲げ片に形成された凹凸部の山部の長手方向とが交差している項目１に記載の封筒。
【００１２】
（項目３）前記一方の折り曲げ片と他方の折り曲げ片の折り曲げ線近傍における角部に切欠部が斜めの切り欠きによって形成されている項目１に記載の封筒。
【００１３】
（項目４）前記一方の折り曲げ片Ａが他方の折り曲げ片Ｂの長さより長く形成され、該折り曲げ片Ａの開口側の端部にフラップが延設されている項目１に記載の封筒。
【００１４】
（項目５）前記封筒本体のフラップに、開封用のミシン目が形成されている項目１に記載の封筒。
【００１５】
（項目６）前記封筒本体の外面に防水機能を有する保護層が形成されている項目１に記載の封筒。
【００１６】
（項目７）前記一方の折り曲げ片Ａと他方の折り曲げ片Ｂの両側部が両面テープによって接合されている項目１に記載の封筒。
【考案の効果】
【００１７】
本考案によれば、次の効果を有する。
【００１８】
紙製シートからなる封筒本体内に配設されるダンボール紙からなる緩衝材は、凹凸部が対向するように矩形状のダンボール紙を折り曲げて形成された折り曲げ体と、該折り曲げ体の一方の折り曲げ片の両側部を内側へ折り曲げてそれぞれ形成された側片と、を有し、両側片の間に他方の折り曲げ片が配設されることにより、クッション体の３方がダンボール紙で覆われることになり、この封筒内に入れられた内容物の周囲の保護機能が高まる。
【００１９】
特に、一方の折り曲げ片に形成された凹凸部の山部の長手方向と、他方の折り曲げ片に形成された凹凸部の山部の長手方向とが交差していると、一方の折り曲げ片に対して耐曲げ性が向上する方向と、他方の折り曲げ片に対する耐曲げ性が向上する方向とが交差するために、折り曲げ体の耐曲げ性が均等化する。しかも、両折り曲げ片の間に挟持される内容物は、一方の折り曲げ片の内面に形成された凹凸部と他方の折り曲げ片Ｂの内面に形成された凹凸部とによって均等に挟持されるようになる。
【００２０】
一方の折り曲げ片と他方の折り曲げ片の折り曲げ線近傍における角部に切欠部が斜めの切り欠きによって形成されていることにより、折り曲げ体を封筒本体内へ挿入する際に、スムーズな挿入が行え、生産性が向上する。
【００２１】
一方の折り曲げ片が他方の折り曲げ片の長さより長く形成され、該折り曲げ片Ａの開口側の端部にフラップが延設されていることにより、非搬送物の４方をダンボール紙で覆うことができる。
【図面の簡単な説明】
【００２２】
【図１】本考案の一実施形態による封筒の分解平面図である。
【図２】図１の封筒の折り曲げ体の概略斜視図である。
【図３】封筒内に折り曲げ体を挿入配置した状態の概略図である。
【図４】図１の封筒の折り曲げ体の概略断面図である。
【図５】図１の封筒の折り曲げ体に形成した山部を示す説明図である。
【図６】本考案の他の実施形態による封筒の分解平面図である。
【図７】図５の封筒の折り曲げ体の概略断面図である。
【図８】封筒内に内容物を配置した状態の説明図説明図である。
【考案を実施するための形態】
【００２３】
以下、添付図面を参照して、本考案をその好適な実施の形態に基づき詳細に説明する。
【００２４】
図１に示すように、本考案の封筒は、紙製シートからなる封筒本体２と、該封筒本体２内に配設されたダンボール紙からなる緩衝材４と、を有する。
【００２５】
図２および図３に示すように、該緩衝材４は、矩形状のダンボール紙の片面に形成された凹凸部１０が対向するように、該ダンボール紙をほぼ二つに折り曲げて形成された折り曲げ体６と、該折り曲げ体６の一方の折り曲げ片Ａの両側部を内側へ折り曲げてそれぞれ形成された側片８と、を有し、両側片８、８の間に他方の折り曲げ片Ｂが配設される。
【００２６】
すなわち、一方の折り曲げ片Ａの長さ寸法と他方の折り曲げ片Ｂの長さ寸法は、ほぼ同じ長さ寸法に設定され、一方の折り曲げ片Ａの幅寸法は、長さと他方の折り曲げ片Ｂの幅寸法に比べて大きく設定されている。そして、両側片８の間に他方の折り曲げ弁Ｂが配設されるように、側片８および他方の折り曲げ片Ｂの幅寸法が設定されている。
【００２７】
一方の折り曲げ片Ａに形成された凹凸部１０の山部１０aの長手方向と、前記他方の折り曲げ片Ｂに形成された凹凸部１０の山部１０aの長手方向とは平行となるように、ダンボール紙を二つに折り曲げて折り曲げ体６を形成しても良いが、図５に示すように、一方の折り曲げ片Ａに形成された凹凸部１０の山部１０aの長手方向と、前記他方の折り曲げ片Ｂに形成された凹凸部１０の山部１０aの長手方向とが交差するように、ダンボール紙を二つに折り曲げて折り曲げ体６を形成しても良い。
【００２８】
すなわち、ほぼ長方形のダンボール紙を裁断する際に、ダンボール紙の折れ線１４は凹凸部１０の山部１０aの長手方向に対して直角となるように裁断しても良く、あるいはダンボール紙の折れ線１４が凹凸部１０の山部１０aの長手方向に対してやや傾斜するように裁断しても良い。このように構成することにより、図８（a）、（b）に示すように、一方の折り曲げ片Ａの凹凸部１０の山部１０aと他方の折り曲げ片Ｂの凹凸部１０の山部１０aが、それぞれ内容物２０の表面に接触する部分が変わるために、両折り曲げ片間に内容物２０が確実に挟持され、封筒内で内容物が移動することが抑制される。
【００２９】
一方の折り曲げ片Ａと他方の折り曲げ片Ｂの折り曲げ線１４近傍における角部に切欠部１２が斜め線によって形成されている。この斜めの切欠部１２を折り曲げ体６の角部に形成することにより、折り曲げ体６を封筒本体２内へスムーズに挿入することができる。
【００３０】
本考案の封筒を作成するには、上記封筒本体２の開口より、二つ折りにした緩衝材４を挿入する。緩衝材４は封筒本体２内にほぼ完全に配設され、緩衝材４の端部が封筒本体２の開口からはみ出ることはない。また、両側片８，８の間に他方の折り曲げ片Ｂが配設されるので、緩衝材４の厚みが厚くなることがない。ＣＤ，ＤＶＤなどの光学ディスク、磁気カードなどの内容物２０は、封筒本体２および緩衝材４の開口より内部に挿入され、その後、封筒本体２のフラップ２ａが糊付けされる。
【００３１】
また、図６に示すように、一方の折り曲げ片Ａが他方の折り曲げ片Ｂの長さより長く形成され、該折り曲げ片Ａの開口側の端部にフラップ１６が延設されていても良い。内容物を緩衝材４の中へ挿入した後、フラップ１６は折り畳まれて折り曲げ片Ａの延出端部に糊付けされる。
【００３２】
このように折り曲げ片Ａの開口側の端部にフラップ１６を延設することにより、内容物の４周をダンボール紙で覆うことができる。この場合、図７に示すように、一方の折り曲げ片Ａと他方の折り曲げ片Ｂの両側部間に両面テープ１８を配設して両端部が接合される。
【００３３】
また、封筒本体２のフラップ２ａに、開封用のミシン目を形成しても良く、封筒本体２の外面に防水機能を有する保護層を形成しても良い。この保護層は、フッ素樹脂コーティング、シリコーンコーティングなど、従来より公知の方法を採用して形成することができる。
【産業上の利用可能性】
【００３４】
ＣＤ，ＤＶＤなどの光学ディスク、磁気カードなどの内容物を損傷することなく安全に輸送でき、しかも廃棄する際にも分別する必要のない封筒を提供する。
【符号の説明】
【００３５】
２    封筒本体
４    緩衝材
６    折り曲げ体
８    側片
１０  凹凸部
１２  切欠部
１４  折り曲げ線
１６  フラップ
【図１】
0003159073.tif 000003
【図２】
0003159073.tif 000004
【図３】
0003159073.tif 000005
【図４】
0003159073.tif 000006
【図５】
0003159073.tif 000007
【図６】
0003159073.tif 000008
【図７】
0003159073.tif 000009
【図８】
0003159073.tif 000010